(57)【要約】【課題】クロック信号に生じるジッタを解消した信号伝送装置を提供する。【解決手段】信号伝送装置１０は、データ信号の送信部２４を備えた送信側ＩＣチップ２２と、前記データ信号の受信部５２を備えた受信側ＩＣチップ５０とを有し、前記送信部２４と前記受信部５２とをデータ信号伝送ライン４０で接続し、クロック信号を前記送信部２４に出力する発振器２６を前記送信側ＩＣチップ２２に接続し、前記発振器２６から出力された前記クロック信号を前記受信部５２に導くクロック信号伝送ライン４２を設け、前記クロック信号伝送ライン４２にＳＡＷフィルタ４４を設けた構成である。【選択図】図１
2007074705.tif 000002
【特許請求の範囲】
【請求項１】
クロック信号が伝送されるクロック信号伝送ラインと、
前記クロック信号に同期したデータ信号が伝送されるデータ信号伝送ラインとを有する信号伝送装置であって、
前記クロック信号伝送ラインに帯域フィルタを設けたことを特徴とする信号伝送装置。
【請求項２】
前記帯域フィルタは、ＳＡＷフィルタであることを特徴とする請求項１に記載の信号伝送装置。
【請求項３】
前記クロック信号は、予め定められた周波数帯域に拡散されたスペクトラム拡散クロック信号であり、前記ＳＡＷフィルタは前記周波数帯域を通過させる帯域フィルタであることを特徴とする請求項１または２に記載の信号伝送装置。
【請求項４】
クロック信号を出力する発振器と、
パラレルデータをシリアルデータに変換し、該シリアルデータを前記クロック信号に同期して出力する送信部と、
前記シリアルデータを受信し、前記クロック信号に基づき前記シリアルデータをパラレルデータに変換する受信部とを有する信号伝送装置であって、
前記受信部へ前記クロック信号を供給するクロック信号伝送ラインに帯域フィルタを設けたことを特徴とする信号伝送装置。
【請求項５】
前記帯域フィルタは、ＳＡＷフィルタであることを特徴とする請求項４に記載の信号伝送装置。
【請求項６】
前記発振器から前記受信部へ伝送される前記クロック信号は、予め定められた周波数帯域に拡散されたスペクトラム拡散クロック信号であり、前記帯域フィルタは前記周波数帯域を通過させる帯域フィルタであることを特徴とする請求項４または５に記載の信号伝送装置。
【請求項７】
クロック信号を出力する発振器と、
前記発振器に接続され、前記クロック信号に同期してデータ信号を出力する送信部を備えた送信側ＩＣチップと、
前記データ信号の受信部を備えた受信側ＩＣチップと、
前記送信部と前記受信部とを接続し、前記データ信号を伝送するデータ信号伝送ラインと、
前記発振器から出力された前記クロック信号を前記受信側ＩＣチップに伝送するクロック信号伝送ラインを設け、
前記クロック信号伝送ラインにＳＡＷフィルタを設けたことを特徴とする信号伝送装置。
【請求項８】
前記送信側ＩＣチップに複数の前記送信部を設けるとともに、前記受信側ＩＣチップに複数の前記送信部と同じ数量の前記受信部を設け、
前記送信部と前記受信部とを前記データ信号伝送ラインで１対１に接続したことを特徴とする請求項７に記載の信号伝送装置。
【請求項９】
前記クロック信号伝送ラインは、前記送信側ＩＣチップと前記受信側ＩＣチップとの間を接続し、
前記送信側ＩＣチップに供給される前記クロック信号を前記クロック信号伝送ラインに供給することを特徴とする請求項７または８に記載の信号伝送装置。
【請求項１０】
前記クロック信号伝送ラインは、前記発振器と前記受信側ＩＣチップとを接続していることを特徴とする請求項７または８に記載の信号伝送装置。
【請求項１１】
前記クロック信号の周波数を高くする位相同期回路を前記送信側ＩＣチップに設け、前記位相同期回路の出力に前記クロック信号伝送ラインを接続したことを特徴とする請求項７ないし９のいずれかに記載の信号伝送装置。
【請求項１２】
前記クロック信号の周波数を高くする位相同期回路を前記送信側ＩＣチップおよび前記受信側ＩＣチップに設けたことを特徴とする請求項７ないし１０のいずれかに記載の信号伝送装置。
【請求項１３】
前記ＳＡＷフィルタは、前記受信側ＩＣチップに近接して設けられたことを特徴とする請求項７ないし１２のいずれかに記載の信号伝送装置。
【発明の詳細な説明】
【技術分野】
【０００１】
本発明は信号伝送装置に係り、特にＩＣチップ間で信号を伝送する信号伝送装置に関する。
【背景技術】
【０００２】
送信側から受信側へデータ信号を伝送する信号伝送装置には、クロック信号に同期させてデータ信号を送信側から受信側へ伝送し、受信側でクロック信号に基づいてデータ信号の「０」，「１」の判定を行う構成のものがある。このような信号伝送装置は、受信側でクロック信号に基づいてデータ信号を読み取っているので、クロック信号にノイズが入ってジッタが発生すると、データ信号を正確に読み取れない問題があった。
【０００３】
そして高速で長距離の伝送を行う光通信では、クロック信号のジッタはデータ伝送エラーを発生させるため、クロック信号のジッタが十分小さいことが望まれている。このため光ネットワーク向けの光トランシーバ用モジュールでは、クロック信号のジッタを次のようにして解消している。すなわち光トランシーバ用モジュールは、電圧制御型弾性表面波発振器（ＶＣＳＯ）を用いた位相同期（ＰＬＬ）回路でクロック変換回路を構成して、これを内部に設けた構成とする。そして光トランシーバ用モジュールは、クロック変換回路でジッタの多い低周波クロックをジッタが低減された高周波のクロック信号に変換し、これを複数個の送信データを１つの送信データに多重化するための基準クロック信号として用いている。なおクロック変換回路は、第１のバンドパスフィルタをＶＣＳＯのＰＬＬ帰還ループ用出力端子に接続するとともに、第２のバンドパスフィルタをＶＣＳＯ内の帰還バッファ用差動増幅器の出力端子に接続することで、ＶＣＳＯが出力する信号におけるジッタの発生を抑制している（例えば、特許文献１を参照）。
【特許文献１】特開２００４−１２０３５２号公報
【発明の開示】
【発明が解決しようとする課題】
【０００４】
送信側から受信側へデータ信号を伝送する信号伝送装置には、例えばコンピュータ等の電子機器に搭載される基板に実装された複数のＩＣチップ間でデータ信号の伝送を行うものがある。この場合、送信側ＩＣチップと受信側ＩＣチップが基板に実装されており、これらのＩＣチップにデータ信号が伝送されるデータ信号伝送ラインおよびクロック信号が伝送されるクロック信号伝送ラインが接続されている。
【０００５】
ところで、データ信号伝送ラインおよびクロック信号伝送ラインが引き回されている基板上には、データ信号の伝送に関与している送信側ＩＣチップおよび受信側ＩＣチップの他にも高速で動作しているＩＣチップ（他のＩＣチップ）が多数実装されている。このため他のＩＣチップで発生するノイズがクロック信号伝送ラインを伝送しているクロック信号に入ってしまい、クロック信号にジッタを発生してしまう。
【０００６】
そして近年は、データの伝送速度が速くなっているので、ＩＣチップで処理するデータ量が増え、また送信側ＩＣチップから受信側ＩＣチップへ伝送するデータ量も増えている。さらにクロック信号が高速化されているので、クロックパルスの周期がますます短くなっている。このため、信号の伝送距離が長くなったり、クロック信号が高速化するにつれて、ノイズに起因するジッタの影響が増大し、データ伝送に支障を来たすようになる。すなわち少しのノイズでもデータ信号の誤判定が発生してしまう問題が顕著化していた。
【０００７】
また前述したＰＬＬ回路を用いてジッタを解消する装置はとても高価である。このため複数のＩＣチップ間でデータを送受信する信号伝送装置では、ＰＬＬ回路を用いてジッタを解消する装置を用いるとコストがかかりすぎるという問題があった。
本発明は、クロック信号に生じるジッタを解消した信号伝送装置を提供することを目的とする。
【課題を解決するための手段】
【０００８】
本発明の或る実施形態では、信号伝送装置は、クロック信号が伝送されるクロック信号伝送ラインと、前記クロック信号に同期したデータ信号が伝送されるデータ信号伝送ラインとを有する信号伝送装置であって、前記クロック信号伝送ラインに帯域フィルタを設けたことを特徴とする。クロック信号伝送ラインを伝送するクロック信号には、外部からの影響によりノイズが入る場合があるが、帯域フィルタでクロック信号のみが通過され、クロック信号からノイズが除去される。このため信号伝送装置は、ノイズが除去されたクロック信号を伝送させることができる。結果として、データ信号の誤判定を防止できる。
【０００９】
また本発明の或る実施形態では、前記帯域フィルタは、ＳＡＷフィルタであることを特徴とする。この場合、高周波数のクロック信号が用いられる信号伝送装置であっても、クロック信号からノイズを除去することができる。
【００１０】
また本発明の或る実施形態では、前記クロック信号は、予め定められた周波数帯域に拡散されたスペクトラム拡散クロック信号であり、前記ＳＡＷフィルタは前記周波数帯域を通過させる帯域フィルタであることを特徴とする。これにより信号伝送装置は、スペクトラム拡散クロック信号を用いることができるので、信号伝送装置が搭載される電子機器に電磁障害（ＥＭＩ）が発生するのを防止できる。
【００１１】
そして本発明の或る実施形態では、信号伝送装置は、クロック信号を出力する発振器と、パラレルデータをシリアルデータに変換し、該シリアルデータを前記クロック信号に同期して出力する送信部と、前記シリアルデータを受信し、前記クロック信号に基づき前記シリアルデータをパラレルデータに変換する受信部とを有する信号伝送装置であって、前記受信部へ前記クロック信号を供給するクロック信号伝送ラインに帯域フィルタを設けたことを特徴とする。クロック信号伝送ラインを伝送するクロック信号には、外部からの影響によりノイズが入る場合があるが、帯域フィルタでクロック信号のみが通過され、クロック信号からノイズが除去される。このため信号伝送装置は、ノイズが除去されたクロック信号を受信部に入力させることができる。
【００１２】
また本発明の或る実施形態では、前記帯域フィルタは、ＳＡＷフィルタであることを特徴とする。ＳＡＷフィルタを用いることにより、高周波数のクロック信号であっても通過させることができる。したがって信号伝送装置のクロック信号が高周波であっても、クロック信号のノイズを除去することができ、データ信号の誤判定を防止できる。
【００１３】
また本発明の或る実施形態では、前記発振器から前記受信部へ伝送される前記クロック信号は、予め定められた周波数帯域に拡散されたスペクトラム拡散クロック信号であり、前記帯域フィルタは前記周波数帯域を通過させる帯域フィルタであることを特徴とする。これにより信号伝送装置は、スペクトラム拡散クロックを用いることができるので、信号伝送装置が搭載される電子機器に電磁障害（ＥＭＩ）が発生するのを防止できる。
【００１４】
また本発明の或る実施形態では、信号伝送装置は、クロック信号を出力する発振器と、前記発振器に接続され、前記クロック信号に同期してデータ信号を出力する送信部を備えた送信側ＩＣチップと、前記データ信号の受信部を備えた受信側ＩＣチップと、前記送信部と前記受信部とを接続し、前記データ信号を伝送するデータ信号伝送ラインと、前記発振器から出力された前記クロック信号を前記受信側ＩＣチップに伝送するクロック信号伝送ラインを設け、前記クロック信号伝送ラインにＳＡＷフィルタを設けたことを特徴とする。
【００１５】
クロック信号伝送ラインを伝送するクロック信号にノイズが入ったとしても、クロック信号の周波数に対応した帯域のみを通過させるＳＡＷフィルタによってノイズを除去することができる。このためクロック信号には、ノイズに起因するジッタが生じることはない。そして信号伝送装置は、ジッタのないクロック信号に基づいてデータ信号を受信部で読み取っているので、正確にデータ信号の「０」，「１」を判定することができる。またクロック信号からノイズを除去するのにＳＡＷフィルタを用いているだけなので、小型で安価なシステム構成でノイズを除去することができる。
【００１６】
また本発明の或る実施形態では、信号伝送装置は、前記送信側ＩＣチップに複数の前記送信部を設けるとともに、前記受信側ＩＣチップに複数の前記送信部と同じ数量の前記受信部を設け、前記送信部と前記受信部とを前記データ信号伝送ラインで１対１に接続したことを特徴とする。これにより送信側ＩＣチップから受信側ＩＣチップに複数のデータ信号を並行して伝送することができる。
【００１７】
そして本発明の或る実施形態では、前記クロック信号伝送ラインは、前記送信側ＩＣチップと前記受信側ＩＣチップとの間を接続し、前記送信側ＩＣチップに供給される前記クロック信号を前記クロック信号伝送ラインに供給することを特徴とする。また本発明の或る実施形態では、前記クロック信号伝送ラインは、前記発振器と前記受信側ＩＣチップとを接続していることを特徴とする。これらの実施形態によれば、受信側ＩＣチップは、送信側ＩＣチップを介してまたは直接に発振器からクロック信号を供給されることができる。
【００１８】
また本発明の或る実施形態では、信号伝送装置は、前記クロック信号の周波数を高くする位相同期回路を前記送信側ＩＣチップに設け、前記位相同期回路の出力に前記クロック信号伝送ラインを接続したことを特徴とする。これによりクロック信号を高周波化することができ、送信側ＩＣチップから受信側ＩＣチップにデータ信号を高速に伝送することができる。また位相同期回路を送信側ＩＣチップに設ければよいので、受信側ＩＣチップの回路構成を簡略化できる。
【００１９】
また本発明の或る実施形態では、信号伝送装置は、前記クロック信号の周波数を高くする位相同期回路を前記送信側ＩＣチップおよび前記受信側ＩＣチップに設けたことを特徴としている。これによりクロック信号を高周波化することができ、送信側ＩＣチップから受信側ＩＣチップにデータ信号を高速に伝送することができる。
【００２０】
また本発明の或る実施形態では、前記ＳＡＷフィルタは、前記受信側ＩＣチップに近接して設けられたことを特徴としている。すなわちＳＡＷフィルタは、クロック信号伝送ラインにおける受信側ＩＣチップの近くに設けられているので、ＳＡＷフィルタから受信側ＩＣチップまでの距離が送信側ＩＣチップからＳＡＷフィルタまでの距離に比べて極めて短くなっている。このためクロック信号伝送ラインを伝送しているクロック信号にノイズが入るのを防止できるので、ノイズに起因するジッタが生じていないクロック信号を受信側ＩＣチップに入力させることができる。
【発明を実施するための最良の形態】
【００２１】
以下に、本発明に係る信号伝送装置の最良の実施形態について説明する。まず第１の実施形態について説明する。図１は第１の実施形態に係る信号伝送装置のブロック図である。信号伝送装置１０は、データ信号を送信する送信側集積回路（ＩＣ）チップ２２を有している。送信側ＩＣチップ２２にクロック信号を出力する発振器２６が接続されており、送信側ＩＣチップ２２および発振器２６で送信段２０が構成されている。そして送信側ＩＣチップ２２は、データ信号の送信部２４およびクロック信号の周波数を高くする第１位相同期（ＰＬＬ）回路３０を備えている。
【００２２】
図２に第１ＰＬＬ回路のブロック図を示す。第１ＰＬＬ回路３０は、入力端子３１を介して発振器２６と接続されるとともに、帰還ループ３２に接続された位相比較器３３を有している。位相比較器３３は、発振器２６から入力したクロック信号と帰還ループ３２から入力したクロック信号に基づいて差信号電圧を出力するものである。この位相比較器３３の後段は、低域通過フィルタ（ＬＰＦ）３４に接続されている。ＬＰＦ３４は、差信号電圧の高調波成分等を取り除くものである。このＬＰＦ３４の後段は、電圧制御型発振器（ＶＣＯ）３５に接続されている。ＶＣＯ３５は、ＬＰＦ３４から入力した差信号電圧に応じた周波数のクロック信号を出力するものである。このＶＣＯ３５の後段は、帰還ループ３２と第１ＰＬＬ回路３０の出力端子３６に接続されている。この帰還ループ３２には、ＶＣＯ３５から出力されたクロック信号を、設定されている分周比で分周する分周回路３７が設けられている。
【００２３】
そして図１に示される送信部２４は、第１ＰＬＬ回路３０の出力に接続されている。すなわち送信部２４は、出力端子３６を介してＶＣＯ３５と接続されている。送信部２４の出力は、データ信号伝送ライン４０に接続されている。この送信部２４は、データ信号と、第１ＰＬＬ回路３０からクロック信号を入力し、このクロック信号に同期させて、データ信号をデータ信号伝送ライン４０に伝送させるものである。
【００２４】
また送信側ＩＣチップ２２にクロック信号伝送ライン４２が接続されており、発振器２６から出力されたクロック信号を第１ＰＬＬ回路３０の入力段の手前で分岐させて、クロック信号をクロック信号伝送ライン４２に導くようになっている。なおクロック信号伝送ライン４２は、データ信号伝送ライン４０に並べて設けられていればよい。すなわちクロック信号伝送ライン４２とデータ信号伝送ライン４０を伝送する信号の伝送距離を同じにするのが好ましい。
【００２５】
そして信号伝送装置１０は、受信側ＩＣチップ５０を備えている。受信側ＩＣチップ５０は、受信部５２および第２ＰＬＬ回路５４を備えている。第２ＰＬＬ回路５４は、送信側ＩＣチップ２２に設けられた第１ＰＬＬ回路３０と同構成であり、クロック信号伝送ライン４２に接続されている。すなわち第２ＰＬＬ回路５４を構成している位相比較器の入力は、クロック信号伝送ライン４２および帰還ループに接続されている。なおクロック信号伝送ライン４２には、弾性表面波（ＳＡＷ）フィルタ４４が設けられている。このＳＡＷフィルタ４４は、受信側ＩＣチップ５０の近くに設けられるのが好ましい。すなわちＳＡＷフィルタ４４は、クロック信号伝送ライン４２が受信側ＩＣチップ５０と接続している個所の直前に設けられるのが好ましい。
【００２６】
また受信部５２は、第２ＰＬＬ回路５４の出力に接続されるとともに、データ信号伝送ライン４０に接続されている。この受信部５２は、第２ＰＬＬ回路５４から入力したクロック信号に基づいて、データ信号伝送ライン４０を介して送信部２４から入力されたデータ信号の「０」または「１」の判定を行うものである。すなわち受信部５２は、クロック信号に基づいてデータ信号を読み取るものである。そして受信部５２は、読み取ったデータ信号を出力する。
【００２７】
次に、信号伝送装置１０の動作について説明する。まず発振器２６は、送信側ＩＣチップ２２にクロック信号を出力する。そして送信側ＩＣチップ２２に入力されたクロック信号は、第１ＰＬＬ回路３０およびクロック信号伝送ライン４２に供給される。第１ＰＬＬ回路３０は、クロック信号の周波数を高くして送信部２４に出力する。そして送信部２４は、パラレルデータ入力ライン４５から入力したパラレルデータをクロック信号に同期させてシリアルデータに変換して、データ信号伝送ライン４０を介して受信側ＩＣチップ５０にシリアルデータを伝送する。
【００２８】
またクロック信号伝送ライン４２に供給されたクロック信号は、ＳＡＷフィルタ４４に入力される。このＳＡＷフィルタ４４の中心周波数は、クロック信号の周波数とほぼ一致している。よってこのＳＡＷフィルタ４４は、クロック信号伝送ライン４２を伝送している間に入ったノイズをクロック信号から除去する。すなわち、クロック信号がクロック信号伝送ライン４２を伝送している間に様々な周波数のノイズがクロック信号に重畳してしまうが、中心周波数がクロック信号の周波数とほぼ一致しているＳＡＷフィルタ４４をクロック信号伝送ライン４２の途中に設けることによって、クロック信号の周波数に応じた周波数の信号のノイズ成分が除去される。このノイズの除去により、クロック信号にジッタが生じるのを防いでいる。また、ＳＡＷフィルタ４４の周波数通過帯域の幅は狭く、且つＳＡＷフィルタ４４は通過帯域の外では顕著に信号を減衰させる特性を持っているため、クロック信号の周波数に近い周波数を持ったノイズによるジッタの発生を抑制できる。さらに伝送距離が長くなるとクロック信号にノイズが入る可能性が高くなるが、ＳＡＷフィルタ４４は受信側ＩＣチップ５０に近接して設けられているので、ＳＡＷフィルタ４４の出力から受信側ＩＣチップ５０までのクロック信号伝送ライン４２の距離は極めて短く、この間にノイズが入ることがない。したがって受信側ＩＣチップ５０に設けられた第２ＰＬＬ回路５４には、ジッタが生じていないクロック信号が入力される。
【００２９】
そして第２ＰＬＬ回路５４は、クロック信号の周波数を高くして受信部５２に出力する。受信部５２は、データ信号伝送ライン４０を介して入力したシリアルデータを第２ＰＬＬ回路５４から出力されたクロック信号に基づいてパラレルデータに変換し、パラレルデータ出力ライン４６から出力する。なおデータ信号伝送ライン４０とクロック信号伝送ライン４２の距離を同様にして、クロック信号がデータ信号に並行して伝送されているので、これらの信号の間で位相ずれが発生していない。したがって受信部５２は、クロック信号に基づいて、データ信号の「０」または「１」の判定を正確に行うことができる。そして受信部５２は、判定後のデータ信号を出力する。このようにしてデータ信号が送信側ＩＣチップ２２から受信側ＩＣチップ５０に伝送される。
【００３０】
このような信号伝送装置１０は、クロック信号伝送ライン４２にＳＡＷフィルタ４４を設けているので、クロック信号がＳＡＷフィルタ４４を通過することにより、ノイズを除去することができる。したがって信号伝送装置１０は、ノイズに起因するジッタが発生していないクロック信号を得ることができる。
【００３１】
また信号伝送装置１０は、クロック信号が受信側ＩＣチップ５０に入力される直前にジッタフィルタとなるＳＡＷフィルタ４４を設けているので、このＳＡＷフィルタ４４でノイズが除去されたクロック信号に対して新たにノイズか入ることがなく、受信側ＩＣチップ５０にクロック信号のみを入力させることができる。すなわち信号伝送装置１０は、ジッタが生じていないクロック信号を受信側ＩＣチップ５０に入力させることができる。したがって信号伝送装置１０の受信部５２は、ジッタが生じていないクロック信号に基づいてデータ信号を正確に読み取ることができる。
また信号伝送装置１０は、ジッタフィルタとして構成が簡単なＳＡＷフィルタ４４を用いているので、小型で安価にシステムを構成することができる。
【００３２】
なお上述した実施形態では、送信側ＩＣチップ２２に第１ＰＬＬ回路３０を設けるとともに、受信側ＩＣチップ５０に第２ＰＬＬ回路５４を設けて、クロック信号の周波数を高くしているが、実施形態によっては第１ＰＬＬ回路３０と第２ＰＬＬ回路５４を設けない構成にしてもよい。すなわち送信部２４は、クロック信号を発振器２６から直接入力する構成とし、受信部５２は、クロック信号伝送ライン４２からクロック信号を直接入力する構成としてもよい。
【００３３】
上述した実施例の変形例を図５に示す。図５に示す信号伝送装置１０４は、送信側ＩＣチップ２２４および発振器２６を備えた送信段２０４と、受信用ＩＣチップ５０４を有している。そして信号伝送装置１０４は、この送信側ＩＣチップ２２４に設けられている第１ＰＬＬ回路３０の出力を、ＳＡＷフィルタ４４が途中に設けられたクロック信号伝送ライン４２に接続し、受信部５２はクロック信号伝送ライン４２からクロック信号を直接入力する構成としている。この構成であれば、受信側ＩＣチップ５０４にＰＬＬ回路を設ける必要がなく、受信側ＩＣチップ５０４の回路構成を簡略化できる。なおこの構成において、第１ＰＬＬ回路３０は、クロック信号を予め定めた周波数帯域に拡散する、スペクトラム拡散タイプのＰＬＬ回路としてもよい。なおスペクトラム拡散タイプのＰＬＬ回路を用いる場合は、ＳＡＷフィルタ４４は拡散させた前記周波数帯域を通過させるフィルタとする。
【００３４】
次に、第２の実施形態について説明する。第２の実施形態では、第１の実施形態に係る信号伝送装置の変形例について説明するので、第１の実施形態に係る信号伝送装置と同様の構成部分に同番号を付し、その説明を省略または簡略する。
【００３５】
図３は第２の実施形態に係る信号伝送装置のブロック図である。信号伝送装置１０２は、送信部２４および第１ＰＬＬ回路３０を備えた送信側ＩＣチップ２２２を有している。そして、送信側ＩＣチップ２２２および発振器２６で送信段２０２が構成されている。送信側ＩＣチップ２２２には、発振器２６が接続されており、この発振器２６からクロック信号が入力される。また信号伝送装置１０２は、受信部５２および第２ＰＬＬ回路５４を備えた受信側ＩＣチップ５０を備えている。そして送信部２４と受信部５２がデータ信号伝送ライン４０で接続されている。また発振器２６と送信側ＩＣチップ２２２の接続において、発振器２６から出力されたクロック信号が送信側ＩＣチップ２２２に入力する前段に、クロック信号伝送ライン４２が接続されている。すなわち発振器２６から出力されたクロック信号は、送信側ＩＣチップ２２２に入力される前段において分岐されて、クロック信号伝送ライン４２と送信側ＩＣチップ２２２に供給される。そしてクロック信号伝送ライン４２にＳＡＷフィルタ４４が設けられている。このＳＡＷフィルタ４４は、クロック信号が受信側ＩＣチップ５０に入力される直前に設けられている。
このような信号伝送装置１０２であっても、第１の実施形態で説明した信号伝送装置と同じ動作を行い、同じ効果を得ることができる。
【００３６】
次に、第３の実施形態について説明する。第３の実施形態では、第１，２の実施形態に係る信号伝送装置の変形例について説明するので、第１，２の実施形態に係る信号伝送装置と同様の構成部分に同番号を付し、その説明を省略または簡略する。
【００３７】
図４は第３の実施形態に係る信号伝送装置のブロック図である。信号伝送装置１０３は、発振器２６およびこの発振器２６が接続された送信側ＩＣチップ２２３を備えた送信段２０３を有している。送信側ＩＣチップ２２３は第１ＰＬＬ回路３０および複数の送信部２４を備えており、各送信部２４は第１ＰＬＬ回路３０に接続されている。この第１ＰＬＬ回路３０の入力は、発振器２６に接続されている。また信号伝送装置１０３は、第２ＰＬＬ回路５４および複数の受信部５２を備えた受信側ＩＣチップ５０３を有しており、各受信部５２は第２ＰＬＬ回路５４に接続されている。そして送信部２４は、データ信号伝送ライン４０により受信部５２と１対１に接続されている。また第２ＰＬＬ回路５４の入力は、クロック信号伝送ライン４２により送信側ＩＣチップ２２３を介して発振器２６に接続されている。このクロック信号伝送ライン４２にＳＡＷフィルタ４４が設けられており、ＳＡＷフィルタ４４は、クロック信号が受信側ＩＣチップ５０３に入力される直前、且つ受信側ＩＣチップ５０３に近接して設けられている。
【００３８】
このような信号伝送装置１０３は、送信側ＩＣチップ２２３から受信側ＩＣチップ５０３に複数のデータ信号を伝送することができる。そして、この信号伝送装置１０３は、第１の実施形態で説明した信号伝送装置と同様の効果を得ることができる。
【００３９】
そして図４では、第１の実施形態に係る信号伝送装置と同様に送信側ＩＣチップ２２３と受信側ＩＣチップ５０３にクロック信号伝送ライン４２を接続し、送信側ＩＣチップ２２３を介して発振器２６から受信側ＩＣチップ５０３にクロック信号を伝送する構成を示している。しかし本実施形態では、第２の実施形態に係る信号伝送装置と同様に発振器２６と受信側ＩＣチップ５０３にクロック信号伝送ライン４２を接続し、発振器２６から受信側ＩＣチップ５０３にクロック信号を直接伝送する構成であってもよい。
【００４０】
なお信号伝送装置は、第１〜３の実施形態で説明した信号伝送装置の構成に加えて、受信側ＩＣチップに送信部を設けるとともに、送信側ＩＣチップに受信部を設けてこれらをデータ信号伝送ラインで接続し、受信側ＩＣチップに設けられた送信部にクロック信号を出力する発振器を接続し、このクロック信号を送信側ＩＣチップに設けられた受信部に導くクロック信号伝送ラインを設け、このクロック信号伝送ラインにおいて送信側ＩＣチップにクロック信号が入力される直前にＳＡＷフィルタを設けた構成としてもよい。これにより送信側ＩＣチップと受信側ＩＣチップが相互にデータ信号を伝送することができる。
また第１〜３の実施形態では、クロック信号源として送信側ＩＣチップ付近に配置する発振器２６を用いて説明したが、この発振器２６の代わりに他の装置から伝送されてくるクロック信号を用いることもできる。
【図面の簡単な説明】
【００４１】
【図１】第１の実施形態に係る信号伝送装置のブロック図である。
【図２】第１ＰＬＬ回路のブロック図を示す。
【図３】第２の実施形態に係る信号伝送装置のブロック図である。
【図４】第３の実施形態に係る信号伝送装置のブロック図である。
【図５】信号伝送装置の変形例を示すブロック図である。
【符号の説明】
【００４２】
１０，１０２，１０３，１０４………信号伝送装置、２２，２２２，２２３，２２４………送信側ＩＣチップ、２４………送信部、２６………発振器、３０………第１ＰＬＬ回路、４０………データ信号伝送ライン、４２………クロック信号伝送ライン、４４………ＳＡＷフィルタ、５０，５０３，５０４………受信側ＩＣチップ、５２………受信部、５４………第２ＰＬＬ回路。
【図１】
2007074705.tif 000003
【図２】
2007074705.tif 000004
【図３】
2007074705.tif 000005
【図４】
2007074705.tif 000006
【図５】
2007074705.tif 000007